(57)【要約】【課題】天井面と引戸との間の隙間を防止し、外観を良好に保つことができる引戸を提供する。【解決手段】下方に開口した凹状の上レール１に沿って摺動する戸首部材２と、床面３に設けられた下レール４に沿って走行する走行部材５とを備える引戸において、前記戸首部材２は引戸本体６の上端部７略全長に亘って昇降出入自在に設けられ、前記戸首部材２は前記引戸本体６の上端部７から上昇突出されることにより前記上レール１に遊嵌されるものであって、前記引戸本体６の側端面８に前記戸首部材２を昇降動作させる操作部９を設けるようになした。【選択図】図１
2009127365.tif 000002
【特許請求の範囲】
【請求項１】
下方に開口した凹状の上レールに沿って摺動する戸首部材と、床面に設けられた下レールに沿って走行する走行部材とを備える引戸において、前記戸首部材は引戸本体の上端部略全長に亘って昇降出入自在に設けられ、前記戸首部材は前記引戸本体の上端部から上昇突出されることにより前記上レールに遊嵌されるものであって、前記引戸本体の側端面に前記戸首部材を昇降動作させる操作部を設けたことを特徴とする引戸。
【請求項２】
前記戸首部材を上方へ付勢するバネを備え、前記操作部により前記バネの付勢力に抗して前記戸首部材を下降させるようにしたことを特徴とする請求項１記載の引戸。
【請求項３】
前記戸首部材に摺接されるカムを備え、前記操作部により前記カムを回動させて前記戸首部材を昇降させるようにしたことを特徴とする請求項１記載の引戸。
【請求項４】
前記戸首部材に貫通されてこれを上下方向に摺動案内するガイド片を備えたことを特徴とする請求項１乃至３のいずれか一項記載の引戸。
【発明の詳細な説明】
【技術分野】
【０００１】
本願発明は、下方に開口した凹状の上レールに沿って摺動する戸首部材と、床面に設けられた下レールに沿って走行する走行部材とを備える引戸に関するものである。
【背景技術】
【０００２】
従来から、図６に示されるように、床面３から天井面１７に亘る引戸が知られている。この引戸は、引戸本体６と、戸首部材２と、走行部材５とを備えている。
【０００３】
この場合、戸首部材２は、天井面１７に設けられた凹状の上レール１に挿入され、走行部材５は、床面３に設けられた凹状の下レール４に装着されるようになっている。
【０００４】
したがって、一般的にこのような引戸の全高Ｌは、床面３から天井面１７までの高さＨよりも高く形成され、戸首部材２を上レール１に挿入した後、走行部材５を下レール４に装着して施工する。
【０００５】
なお、特開平８−２９６３７７号公報に示されるように、引戸を閉じた状態において、引戸とこの引戸の配される枠との間の隙間を塞ぐことのできる進退自在な気密部材を有する引戸は知られている。この引戸は、図７に示すように、引戸本体６の上端部７に気密部材２１を備えている。
【特許文献１】特開平８−２９６３７７号公報
【発明の開示】
【発明が解決しようとする課題】
【０００６】
しかしながら、上記従来の一般的な引戸では、上述したような施工方法を採るために、戸首部材２と上レール１との間にのみ込み代となる余裕が必要となり、引戸の全高Ｌをできるだけ低くし、戸首部材２の幅Ｎを上レール１の幅より狭くすることが行なわれる。そのため、戸首部材２の上レール１への挿入部分の長さＭが短く引戸が外れやすいうえ、引戸の表裏方向でガタツキが生じるという問題があった。また、引戸を上レール１へ挿入する際に引戸を斜めにすることから、引戸本体６の上端部７と天井面１７との間に余裕が必要となる。したがって、戸首部材２と上レール１との上下方向及び表裏方向の隙間や引戸本体６の上端部７と天井面１７との間の隙間から明かりがもれるという問題があった。
【０００７】
また、上記気密部材２１を有する引戸は、引戸が完全に閉まった状態で気密部材２１と上レール１との隙間を塞ぐものであるから、引戸の開閉時には隙間が発生してしまう。
【０００８】
本願発明は、上記背景技術に鑑みてなしたものであり、その目的は、天井面と引戸との間の隙間を防止し、外観を良好に保つことができる引戸を提供することである。
【課題を解決するための手段】
【０００９】
上記課題を解決するために、本願請求項１記載の発明は、下方に開口した凹状の上レールに沿って摺動する戸首部材と、床面に設けられた下レールに沿って走行する走行部材とを備える引戸において、前記戸首部材は引戸本体の上端部略全長に亘って昇降出入自在に設けられ、前記戸首部材は前記引戸本体の上端部から上昇突出されることにより前記上レールに遊嵌されるものであって、前記引戸本体の側端面に前記戸首部材を昇降動作させる操作部を設けてなる。
【００１０】
本願請求項２記載の発明は、上記請求項１記載の引戸において、前記戸首部材を上方へ付勢するバネを備え、前記操作部により前記バネの付勢力に抗して前記戸首部材を下降させるようにしたことを特徴としている。
【００１１】
本願請求項３記載の発明は、上記請求項１記載の引戸において、前記戸首部材に摺接されるカムを備え、前記操作部により前記カムを回動させて前記戸首部材を昇降させるようにしたことを特徴としている。
【００１２】
本願請求項４記載の発明は、請求項１乃至３のいずれか一項記載の引戸において、前記戸首部材に貫通されてこれを上下方向に摺動案内するガイド片を備えたことを特徴としている。
【発明の効果】
【００１３】
本願請求項１記載の発明の引戸においては、施工時に、走行部材を下レールに装着し、戸首部材を下降させたまま引戸本体の上端部を上レールの下方に配し、戸首部材を上昇突出させて上レールに嵌入させるので、のみ込み代となる余裕を戸首部材及び引戸本体の上端部に設ける必要がなく、戸首部材と上レールとの上下方向及び表裏方向の隙間や引戸本体の上端部と天井面との間の隙間を少なくすることができ、明かりもれを効果的に防止することができる。つまり、上レールに戸首部材を深く差し込むことができるので、引戸が上レールから外れるのを防止できるとともに、引戸の表裏方向でガタツキが生じることも防ぐことができる。さらに、引戸本体の側端面に設けられた操作部にて、戸首部材を昇降出入自在に操作するものであるから、操作部が引戸の表面及び裏面に露出しないので、外観を良好に保つことができる。
【００１４】
本願請求項２記載の発明の引戸においては、施工時には、走行部材を下レールに装着し、戸首部材をバネの付勢力に抗して下降させ、引戸本体の上端部を上レールの下方に配した後、バネの付勢力を利用して戸首部材を上昇突出させて上レールに嵌入させるものであるから、バネの付勢力に抗して戸首部材を下降させるという簡単な手段により、戸首部材を昇降出入自在にすることができ、施工が容易である。
【００１５】
本願請求項３記載の発明の引戸においては、施工時には、走行部材を下レールに装着し、戸首部材をカムの回動操作にて下降させ、引戸本体の上端部を上レールの下方に配した後、カムの回動操作にて戸首部材を上昇突出させて上レールに嵌入させるものであるから、回動操作にて戸首部材の上昇もしくは下降を適宜、選択することができ、施工が容易である。
【００１６】
本願請求項４記載の発明の引戸においては、戸首部材に貫通されてこれを上下方向に摺動案内するガイド片を備えたことにより、戸首部材の横方向へのずれを防止し、戸首部材を上下方向へスムーズに移動させやすくなり、戸首部材の昇降出入動作を安定して行うことができる。
【発明を実施するための最良の形態】
【００１７】
図１乃至３は、本願発明の第１の実施形態である引戸を示している。この実施形態の引戸では、下方に開口した凹状の上レール１に沿って摺動する戸首部材２と、床面３に設けられた下レール４に沿って走行する走行部材５とを備える引戸において、前記戸首部材２は引戸本体６の上端部７略全長に亘って昇降出入自在に設けられ、前記戸首部材２は前記引戸本体６の上端部７から上昇突出されることにより前記上レール１に遊嵌されるものであって、前記引戸本体６の側端面８に前記戸首部材２を昇降動作させる操作部９を設けてある。この場合、前記戸首部材２を上方へ付勢するバネ１０を備え、前記操作部９により前記バネ１０の付勢力に抗して前記戸首部材２を下降させるようにしてある。また、図３に示すように、前記戸首部材２に貫通されてこれを上下方向に摺動案内するガイド片１２を備えている。
【００１８】
以下、この実施形態の引戸を、より具体的詳細に説明する。図２に示すように、引戸は引戸本体６と、引戸本体６の上端部７から上昇突出される戸首部材２と、引戸本体６の下端部１３から突出される走行部材５とを備えている。戸首部材２は、木、樹脂、金属などからなり、長手方向の長さは引戸本体６の上端部７の略全長とし、幅方向の長さは上レール１の略溝幅とし、高さ方向の長さは上レール１の溝の深さより長めとし、引戸本体６とは別体に設けられている。そして、図１に示すように、引戸本体６の上端部７に設けられ、長手方向の断面が凹状となっている溝１４内に戸首部材２は収容される。この溝１４の長手方向と幅方向の長さは戸首部材２の長手方向と幅方向の長さとほぼ一致するかもしくは、やや長めに形成されている。さらに、この溝１４の深さは、戸首部材２の下端部１５に備えたバネ１０が最も縮んだときの長さと戸首部材２の高さを合わせたものとほぼ一致するかもしくは、やや長めに形成されている。ここで、戸首部材２の高さは、引戸本体６の上端部７から戸首部材２が上昇突出した際に、戸首部材２の下端部１５が引戸本体６の上端部７より下となり、溝１４内に戸首部材２の一部が留まるような長さにする。また、引戸本体６の上端部７から戸首部材２が上昇突出した際に、戸首部材２の上端部１６が上レール１の溝の底部と接触しないよう、戸首部材２の高さを調整する必要がある。
【００１９】
走行部材５は、引戸本体６の下端部１３に設けられる複数個の戸車である。なお、本実施形態の走行部材５は戸車としているが、引戸本体６の下端部１３の略全長に亘って引戸本体６と一体に凸状部として設けるものであってもよい。バネ１０は、いわゆる圧縮バネであり、コイル状でも板状などでもよく、戸首部材２の下端部１５に備えられる。また、図３に示すように、引戸本体６の側端面８には、戸首部材２を昇降動作させる操作部９を設けている。ここでは、戸首部材２の側端面に引っ掛かりとなる段部を形成して、側方へ露出した操作部９としている。
【００２０】
次に、戸首部材２が引戸本体６の上端部７から昇降出入する動作について説明する。通常時は、戸首部材２がバネ１０の付勢力により、引戸本体６の上端部７から上昇突出している。ここで、戸首部材２は、図３（ａ）に示すように、引っ掛かりとなる段部からなる操作部９を指などで押してバネ１０の付勢力に抗して下降させることができるため、指などを操作部９から離すと、戸首部材２はバネ１０の付勢力により上昇する。
【００２１】
さらに、本実施形態の引戸の施工方法について説明する。引戸を取り付ける場合には、まず、引戸本体６を表裏方向に傾け、走行部材５を下レール４に装着する。次に、操作部９を指などで押して戸首部材２をバネ１０の付勢力に抗して下降させ、戸首部材２を下降させたまま引戸本体６を引き起こし、引戸本体６の上端部７が水平となり、引戸本体６の上端部７内に下降されている戸首部材２が上レール１の真下にきたところで、操作部９から指などを離して戸首部材２をバネ１０の付勢力を利用して上昇させ、戸首部材２を上レール１に嵌入させる。逆に、引戸を取り外す場合には、まず、操作部９を指などで押して戸首部材２をバネ１０の付勢力に抗して下降させ、戸首部材２が完全に上レール１から外れたら、戸首部材２を下降させたまま引戸本体６を傾ける。次に、操作部９から指などを離して戸首部材２をバネ１０の付勢力を利用して上昇させ、走行部材５を下レール４から外す。なお、操作部９を指などで押して戸首部材２をバネ１０の付勢力に抗して下降させてから、走行部材５を下レール４に装着したり、戸首部材２を下降させたまま走行部材５を下レール４から外したりしてもよい。
【００２２】
本実施形態では、戸首部材２に貫通されてこれを上下方向に摺動案内するガイド片１２を設けている。ガイド片１２は、金属や樹脂からなり、棒状で断面は円形である。このガイド片１２は、溝１４の底面に設けられた穴部に固着され、溝１４の幅方向の中心に沿って、複数個長手方向に配置されている。なお、本実施形態のガイド片１２は、棒状で断面を円形としているが、これに限定されるものではなく、例えば、棒状で断面を楕円としたり、棒状で断面を多角形としたりしてもよい。
【００２３】
この場合、戸首部材２の横方向へのずれを防止し、戸首部材２を上下方向へスムーズに移動させやすくなり、戸首部材２の昇降出入動作を安定して行うことができる。
【００２４】
したがって、施工時に、走行部材５を下レール４に装着し、戸首部材２を下降させたまま引戸本体６の上端部７を上レール１の下方に配し、戸首部材２を上昇突出させて上レール１に嵌入させるので、のみ込み代となる余裕を戸首部材２及び引戸本体６の上端部７に設ける必要がなく、戸首部材２と上レール１との上下方向及び表裏方向の隙間や引戸本体６の上端部７と天井面１７との間の隙間を少なくすることができ、明かりもれを効果的に防止することができる。つまり、上レール１に戸首部材２を深く差し込むことができるので、引戸が上レール１から外れるのを防止できるとともに、引戸の表裏方向でガタツキが生じることも防ぐことができる。さらに、引戸本体６の側端面８に設けられた操作部９にて、戸首部材２を昇降出入自在に操作するものであるから、操作部９が引戸の表面及び裏面に露出しないので、外観を良好に保つことができる。また、バネ１０の付勢力を利用して戸首部材２を上昇突出させたり、バネ１０の付勢力に抗して戸首部材２を下降させたりするという簡単な手段により、戸首部材２を昇降出入自在にすることができるので、施工が容易である。
【００２５】
図４及び５は、本願発明の第２の実施形態である引戸を示している。ここでは、上記第１の実施形態と相違する事項についてのみ説明し、その他の事項（構成、作用効果等）については、上記第１の実施形態と同様であるのでその説明を省略する。この引戸は、戸首部材２に摺接されるカム１１を備え、操作部９によりカム１１を回動させて戸首部材２を昇降させるようにしている。
【００２６】
戸首部材２は、木、樹脂、金属などからなり、長手方向の長さは引戸本体６の上端部７の略全長とし、幅方向の長さは上レール１の略溝幅とし、高さ方向の長さは上レール１の溝の深さより長めとし、引戸本体６とは別体に設けられている。そして、図４に示すように、引戸本体６の上端部７に設けられ、長手方向の断面が凹状となっている溝１４内に戸首部材２は収容される。この溝１４の長手方向と幅方向の長さは戸首部材２の長手方向と幅方向の長さとほぼ一致するかもしくは、やや長めに形成されている。さらに、この溝１４の深さは、戸首部材２の下端部１５で摺接されるカム１１が水平方向を向いているときの高さと戸首部材２の高さを合わせたものとほぼ一致するかもしくは、やや長めに形成されている。ここで、戸首部材２の高さは、引戸本体６の上端部７から戸首部材２が上昇突出した際に、戸首部材２の下端部１５が引戸本体６の上端部７より下となり、溝１４内に戸首部材２の一部が留まるような長さにする。また、引戸本体６の上端部７から戸首部材２が上昇突出した際に、戸首部材２の上端部１６が上レール１の溝の底部と接触しないよう、戸首部材２の高さを調整する必要がある。
【００２７】
カム１１は、樹脂、金属などからなり、水平方向と垂直方向に切り替わるものであって、垂直方向を向いているときの高さは上レール１の溝の深さより長めとする。そして、シャフト１８を介して、戸首部材２の下端部１５に複数個備えられる。シャフト１８は、カム１１と一緒に回動するものであり、回動軸として機能する。また、引戸本体６の側端面８には、戸首部材２を昇降動作させる操作部９を設けている。ここでは、図５に示すように、シャフト１８の両端部に回動方向を変える摘みを形成して、操作部９としている。なお、本実施形態の摘みは、円形で端面に十字穴を形成してドライバーで操作するものにしているが（図示せず）、これに限定されるものではなく、例えば、円形で端面に六角穴を形成して六角棒レンチで操作するものにしたり、円形で端面に引っ掛かりとなる突起を設け指などで操作するものにしたりしてもよい。
【００２８】
次に、戸首部材２が引戸本体６の上端部７から昇降出入する動作について図４を用いて説明する。操作部９の十字穴にドライバーを挿して、カム１１が水平方向となるように回動すると、戸首部材２は引戸本体６の上端部７から突出せず、溝１４内に留まる。一方、操作部９の十字穴にドライバーを挿して、カム１１が垂直方向となるように回動すると、戸首部材２は引戸本体６の上端部７から突出する。よって、カム１１の向きを操作部９にて変えることにより、戸首部材２の上昇と下降を選択することができる。
【００２９】
さらに、本実施形態の引戸の施工方法について説明する。引戸を取り付ける場合には、まず、引戸本体６を表裏方向に傾け、走行部材５を下レール４に装着する。次に、操作部９を操作してカム１１が水平方向となるように回動して戸首部材２を下降させ、戸首部材２を下降させたまま引戸本体６を引き起こし、引戸本体６の上端部７が水平となり、引戸本体６の上端部７内に下降されている戸首部材２が上レール１の真下にきたところで、操作部９を操作してカム１１が垂直方向となるように回動して戸首部材２を上昇させ、戸首部材２を上レール１に嵌入させる。逆に、引戸を取り外す場合には、まず、操作部９を操作してカム１１が水平方向となるように回動して戸首部材２を下降させ、戸首部材２が完全に上レール１から外れたら、戸首部材２を下降させたまま引戸本体６を傾けて、走行部材５を下レール４から外す。なお、操作部９を操作して戸首部材２を下降させてから、走行部材５を下レール４に装着してもよい。
【００３０】
なお、図５の２点鎖線で示すように、戸首部材２の下降をスムーズにするために、戸首部材２の下端部１５に引張バネ１９を設けてもよい。この場合、操作部９にてカム１１が水平方向となるように回動されると、引張バネ１９の引張付勢力に従って、戸首部材２は下方へ導かれる。また、操作部９にてカム１１が垂直方向となるように回動されると、引張バネ１９の引張付勢力に抗して、戸首部材２は上方へ突出する。
【００３１】
したがって、施工時には、走行部材５を下レール４に装着し、戸首部材２をカム１１の回動操作にて下降させ、引戸本体６の上端部７を上レール１の下方に配した後、カム１１の回動操作にて戸首部材２を上昇突出させて上レール１に嵌入させるものであるから、回動操作にて戸首部材２の上昇もしくは下降を適宜、選択することができ、施工が容易である。
【００３２】
なお、上記第１及び第２の実施形態では、天井面１７と引戸の隙間について説明したが、本願発明は鴨居と引戸の隙間についても適用可能である。
【図面の簡単な説明】
【００３３】
【図１】本願発明の第１の実施形態である引戸を示す断面図であって、（ａ）は引戸を上レールに施工する前における戸首部材の状態、（ｂ）は引戸を上レールに施工した後における戸首部材の状態をそれぞれ示している。
【図２】同引戸の全体概略を示す断面図。
【図３】同引戸の断面図であって、（ａ）は引戸を表裏方向から見た状態、（ｂ）はＸ−Ｘ断面における状態をそれぞれ示している。
【図４】本願発明の第２の実施形態である引戸を示す断面図であって、（ａ）は引戸を上レールに施工する前における戸首部材の状態、（ｂ）は引戸を上レールに施工した後における戸首部材の状態をそれぞれ示している。
【図５】同引戸の表裏方向からの断面図。
【図６】従来例である引戸の取り付け状態を示した断面図。
【図７】従来例である気密部材を有する引戸を示した斜視図であって、（ａ）は引戸が非閉状態、（ｂ）は引戸が閉状態の要部をそれぞれ示している。
【符号の説明】
【００３４】
１  上レール
２  戸首部材
３  床面
４  下レール
５  走行部材
６  引戸本体
７  上端部
８  側端面
９  操作部
１０  バネ
１１  カム
１２  ガイド片
【図１】
2009127365.tif 000003
【図２】
2009127365.tif 000004
【図３】
2009127365.tif 000005
【図４】
2009127365.tif 000006
【図５】
2009127365.tif 000007
【図６】
2009127365.tif 000008
【図７】
2009127365.tif 000009